(57)【要約】【課題】    頭部の美容施術と、頭部以外の身体のエステ施術とを同時に受けることを可能にして、被施術者が全身の美容に費やす時間を短縮できるようにすることにある。【解決手段】  表面が平坦な一つの床Ｆと、床Ｆ面に配置されている洗髪区域１２、およびエステ区域１３とを含む。洗髪区域１３には、洗髪器１２３を有する洗髪台１２１と、床Ｆに固定して設置されており、被施術者の身体を少なくとも仰向けにできる固定式施術台１２４と、を配置する。エステ区域１３には、被施術者の身体を仰向けに、および俯せにすることができ、床Ｆ面上を移動可能な可動式施術台１３１を配置する。洗髪区域１２の固定式施術台１２４は、座部１２５と背もたれ１２６を備えたリクライニングチェア構造を具備し、被施術者Ｈ１の身体を横たえた状態で被施術者Ｈ１の頭部を洗髪器１２３内に臨ませることができる。【選択図】図２
2014097187.tif 000002
【特許請求の範囲】
【請求項１】
頭部の美容施術と頭部以外の身体のエステティック施術を同時に行うようにした美容方法であって、 
被施術者の身体を仰向けに、および／または俯せにできる施術台の上に、身体を仰向けまたは俯せ状態にし、被施術者の頭部は洗髪台の洗髪器内に臨ませた状態で美容師が被施術者に美容施術を行い、被施術者の頭部以外の身体は、施術台の上でエステティシャンがエステティック施術を行い、頭部の美容施術と身体のエステティック施術は、同時に行うようにした、
美容方法。
【請求項２】
頭部の美容施術と頭部以外の身体のエステティック施術を同時に行うことを可能にした美容施設であって、
平坦な一つの床面と、
当該床面に配置されている洗髪区域、およびエステティック区域と、
を含み、
前記洗髪区域には、
洗髪器を有する一または複数の洗髪台と、
前記床面上に固定して設置されており、被施術者の身体を少なくとも仰向けにできる一または複数の固定式施術台と、
を配置し、
前記エステティック区域には、
被施術者の身体を仰向けに、および俯せにすることができ、前記床面上を移動可能な一または複数の可動式施術台を配置し、
前記洗髪区域の前記固定式施術台は、座部と背もたれを備えたリクライニングチェア構造を具備し、被施術者の身体を横たえた状態で被施術者の頭部を前記洗髪器内に臨ませることができる、
美容施設。
【請求項３】
前記可動式施術台が、床面と接するキャスターを備えた支脚を有し、当該支脚の高さは、可動式施術台を前記洗髪台に臨ませるときに、前記可動式施術台の身体を横たえる部分が前記固定式施術台の上側に覆い被さることを可能とする高さである、
請求項２記載の美容施設。
【請求項４】
可動式施術台の支脚はフレームの四方に配置され、前記フレームの上にはマットレスが載置され、前記支脚は長さを調節できる構造を有し、キャスターは、ストッパー付きである、
請求項３記載の美容施設。
【請求項５】
洗髪台は、床面からの高さの調整ができる手段を備えている、請求項２ないし４の何れか一項に記載の美容施設。
【発明の詳細な説明】
【技術分野】
【０００１】
本発明は、美容方法および美容施設にかかり、更に詳しくは、頭部の美容施術および頭部以外の身体のエステティック施術を含めた全身の美容に関する施術を同時に受けることにより、美容に関する施術を受ける時間の短縮化を図ったものに関する。
【背景技術】
【０００２】
女性の美に対するあこがれ、特に容姿に対するあこがれは強い。容姿を美しくする方法の一つとして、美容がある。美容の業を行うためには、美容師試験による資格取得を必要とし、美容師でなければ、美容を業としてはならないと規定されている（美容師法第６条）。  美容師法によれば、美容とはパーマネントウエーブ、結髪、化粧等の方法により容姿を美しくすることをいうとされている（美容師法第２条第１項）。
つまり、美容師が行う美容の内容は、頭部に対する美容であり、したがって、頭部に対する美容には美容師の資格を必要とする。
【０００３】
また、美容の業を行うために設けられた施設、あるいはその建物は、一般に美容院、あるいは美容室と呼ばれ（以下、美容院と美容室をまとめて「美容室」という。）、経営者自身が美容師の資格を有しているか、美容師の資格を有するものを雇用している必要がある。
男性を対象とする理容に関しても、美容の場合と大体同じである。
【０００４】
一方、痩身や脱毛、美白を始めとした、全身の美容術としてエステティック（以下、「エステ」という。）があり、このような目的を達する施設として、エステティックサロン（以下、「エステサロン」という）がある。エステサロンでは、痩身や脱毛を始めとした、全身の美容の他にリラクゼーションを兼ねていることが多い。
エステを行う者をエステティシャンという。エステティシャンは美容師と異なり国家資格は必要されていない。
【０００５】
また、最近は頭のツボやコリをもみほぐす、いわゆるヘッドスパも注目されている。ヘッドスパはヘッドマッサージ、頭皮マッサージを主目的とし、主にリラクゼーションと頭皮ケアを目的とする手技である。
ヘッドスパの施術内容はあくまでもエステであり、美容とは異なるものであって、エステサロンで施術するヘッドスパは、美容師法に規定する無免許営業の規定に抵触しないようにする必要がある。
【０００６】
特許文献１には、前記ヘッドスパ（特許文献１では頭髪エステと称している）を施術する頭髪エステ室と、エステを施術するエステ室を備えた店舗の構造が開示されている。当該店舗には仕上げ室を備え、この仕上げ室で、被施術者自身で整髪やメイクを行うことを可能として（〔０００７〕）美容師法に配慮した構造となっている。
【先行技術文献】
【特許文献】
【０００７】
【特許文献１】特開２００５−２４８５９７号公報
【発明の概要】
【発明が解決しようとする課題】
【０００８】
特許文献１に記載されている店舗は、頭髪エステ室とエステ室を備えていることから、頭髪エステの施術と頭髪以外のエステの施術、つまり頭部を含めた全身のエステの施術を受けることは可能である。
しかし、特許文献１に記載されている店舗は、理美容師を配備することは想定していないし（〔０００４〕）、したがって美容室に必須の洗髪台はない。前記のように、美容とエステとは、法的に区分されていることから、同店舗では、頭部の美容施術と身体のエステ施術を同時に受けることはできない。
【０００９】
美容施術を受ける者が頭部から足先までの全身の美容を受ける場合、頭部の美容施術については前記のように美容師の専業事項となっていることから、美容師がいる美容室で施術を受けることとなる。また、頭部以外の身体についてはエステティシャンがいるエステサロンでエステ施術を受けることとなる。
つまり、頭部から足先までの全身の美容は、美容室とエステサロンの二箇所の施設で施術を受ける必要がある。
【００１０】
一方、多忙である現代人、特にいわゆるキャリアウーマンと呼ばれる女性は、寸暇を惜しんで働く傾向にある。女性であることから美容やエステの施術を受けて容姿を美しくしたいと思っても、それに要する時間の消費を避けたい気持ちが強く、したがって短時間で頭部の美容施術と頭部以外のエステ施術を含めた全身の美容を受けられることが望まれている。
【００１１】
（本発明の目的）
そこで本発明の目的は、頭部の美容施術と、頭部以外の身体のエステ施術とを同時に受けることを可能にして、被施術者が全身の美容に費やす時間を短縮できるようにすることにある。
【課題を解決するための手段】
【００１２】
上記課題を解決するために本発明が講じた手段は次のとおりである。
本発明は、
頭部の美容施術と頭部以外の身体のエステ施術を同時に行うようにした美容方法であって、 
被施術者の身体を仰向けに、および／または俯せにできる施術台の上に、身体を仰向けまたは俯せ状態にし、被施術者の頭部は洗髪台の洗髪器内に臨ませた状態で美容師が被施術者に美容施術を行い、被施術者の頭部以外の身体は、施術台の上でエステティシャンがエステ施術を行い、頭部の美容施術と身体のエステ施術は、同時に行うようにした、
美容方法である。
【００１３】
本発明は、
頭部の美容施術と頭部以外の身体のエステ施術を同時に行うことを可能にした美容施設であって、
平坦な一つの床面と、
当該床面に配置されている洗髪区域、およびエステ区域と、
を含み、
前記洗髪区域には、
洗髪器を有する一または複数の洗髪台と、
前記床面上に固定して設置されており、被施術者の身体を少なくとも仰向けにできる一または複数の固定式施術台と、
を配置し、
前記エステ区域には、
被施術者の身体を仰向けに、および俯せにすることができ、前記床面上を移動可能な一または複数の可動式施術台を配置し、
前記洗髪区域の前記固定式施術台は、座部と背もたれを備えたリクライニングチェア構造を具備し、被施術者の身体を横たえた状態で被施術者の頭部を前記洗髪器内に臨ませることができる、
美容施設である。
【００１４】
本発明は、
前記可動式施術台は、床面と接するキャスターを備えた支脚を有し、当該支脚の高さは、可動式施術台を前記洗髪台に臨ませるときに、前記可動式施術台の身体を横たえる部分が前記固定式施術台の上側に覆い被さることを可能とする高さである、
美容施設である。
【００１５】
可動式施術台の支脚はフレームの四方に配置され、前記フレームの上にはマットレスが載置され、前記支脚は長さを調節できる構造を有し、キャスターは、ストッパー付きであることが推奨される。
支脚は、長さが一定長のものでも良い。
【００１６】
洗髪台は床面からの高さの調節ができない固定式のものでも良いが、床面からの高さを変更できる可動式のものが、施術に当たり高さの調節ができることから好ましい。
高さの調節には、例えば壁面に高さ方向に複数の掛止穴を備えた調節具を取付け、洗髪台側には、掛止穴に掛止する掛止具を有し、掛止穴に掛止具を引っ掛ける構造、座椅子のガスダンパーと同様の構造、壁面側にラックギヤを、洗髪台側にピニオンギヤを設け、ピニオンギヤを回すことにより、ラックギア上を昇降する構造など、各種の公知の構造が採用できる。
洗髪台の高さの変更に伴って、各種関連する配管は、入れ子式や蛇腹状管など変更に対応できる公知のものが採用される。
【００１７】
可動式施術台の支脚が、長さの調節を可能とし、洗髪台が、床面からの高さを変えることを可能とし、固定式施術台が高さの調節を可能とすることによって、これらを適宜調節して、被施術者および施術者にとって最適な施術の高さを選択することができる。
【００１８】
なお、可動式施術台の支脚の高さは、被施術者の身体を横たえる部分が固定式施術台の上側に覆い被さることを可能とする高さとすることにより、洗髪区域で可動式施術台を使用する場合でも固定式施術台が邪魔にならない。
【００１９】
（作用）
本発明に係る美容施設における美容方法を説明する。
【００２０】
＜固定式施術台を使用した場合＞
固定式施術台を使用する場合は、被施術者は、座部に腰掛け、背もたれを倒して仰向け状態となり、頭部を洗髪器内に位置させる。固定式施術台および洗髪台が、共に高さの調節ができないものである場合は、予め、それぞれの最適な高さが設定されている。
固定式施術台および洗髪台が、共に高さの調節ができるもの、あるいは一方が高さの調節ができるものの場合は、予め、最適な高さを調節する。
【００２１】
頭部の美容施術は、美容師が行う。
頭部以外の身体の美容、つまりエステ施術は、エステティシャンが行う。そして、頭部の美容施術とエステ施術を同時に行う。これによって、従来は、頭部は美容室、身体はエステサロンという二箇所に移動して施術を受けていたものが、一箇所で、しかも同時に施術を受けることができ、美容を受ける時間の短縮化が可能である。
【００２２】
＜可動式施術台を使用した場合＞
可動式施術台を洗髪区域に移動させ、前記固定式施術台の上側に覆い被さるようにして設置し、ヘッド部分を洗髪台に臨ませる。固定式施術台および洗髪台が、共に高さの調節ができるものであり、可動式施術台が支脚の長さが調節できるものである場合は、予め、それぞれを最適な高さや長さに調節しておく。
【００２３】
固定式施術台、洗髪台および可動式施術台の組み合わせが、高さあるいは長さの調節ができるものとできないものの組み合わせである場合も、その組み合わせに於いて適宜施術の実施に最適な高さまたは長さに調節しておく。
【００２４】
被施術者が可動式施術台の上に横たわり、頭部を洗髪器内に位置させる。頭部の美容施術は、美容師が行う。頭部以外の身体の美容、つまりエステ施術は、エステティシャンが行う。そして、頭部の美容施術と身体のエステ施術を同時に行う。
【発明の効果】
【００２５】
本発明によれば、被施術者は、頭部と、頭部以外の身体を含めた全身の美容を同時に受けることができるので、全身の美容に費やす時間を短縮できる。
また、被施術者は、美容室とエステサロンの、少なくとも二箇所の間を往来する労力が省ける。
【００２６】
また、洗髪区域で可動施術台を使用して頭部の美容施術と身体のエステ施術を行う場合に、可動施術台の支脚の長さが、固定式施術台の上側に覆い被さるようにして設置できるものは、固定式施術台が床に設置された状態のままでも邪魔にならない。
【００２７】
洗面台の高さが調節可能なものは、固定式施術台で頭部の美容施術と身体のエステ施術を行う場合と、洗髪区域で可動施術台を使用して頭部の美容施術と身体のエステ施術を行う場合の何れの場合も施術に好適な高さに調節できる。
【図面の簡単な説明】
【００２８】
【図１】美容施設の一実施の形態を示す平面視説明図である。
【図２】可動式施術台を洗髪台に近接させ、可動式施術台のマットレス部分が固定式施術台の上側に覆い被さった状態で、頭部の美容施術と頭部以外の身体のエステ施術を同時に行っている状態を示す説明図である。
【図３】可動式施術台の一実施の形態を示す斜視説明図である。
【発明を実施するための形態】
【００２９】
本発明を図面に示した実施の形態に基づき詳細に説明する。
〔実施の形態〕
【００３０】
図１を参照する。美容施設Ｂは、建物の一部または全部で構成され、表面が平坦な床Ｆを有する。美容施設Ｂの入口の左側には、カウンセリングルームを兼ねた待合室１０があり、更に、奥には蒸気浴または熱気浴の座浴区域１１を有する。
【００３１】
座浴区域１１では、座浴、例えばよもぎ蒸しを行う。座浴は、蒸気を逃がさないマントで被施術者の身体を覆って穴の開いた椅子１１０に腰掛け、この椅子１１０の下からよもぎなどの野草を煎じた蒸気をマントの中に充満させる。この蒸気が体内に吸収され、野草の成分がカラダに浸み込むといわれている。
なお、座浴によって身体の発汗を促し、エステ施術の効果を促進する働きがある。
【００３２】
座浴区域１１の奥側には、洗髪区域１２を有する。洗髪区域１２では、洗髪やヘッドスパを行う。洗髪やヘッドスパの施術者は美容師Ｈ２である。
洗髪区域１２には、洗髪台１２１が設置されている。洗髪台１２１は、シャワーヘッド１２２と洗髪器１２３を備えている。洗髪台１２１は美容施設Ｂの壁面に沿って設けられている。この実施の形態では、洗髪台１２１は、床Ｆの表面からの高さを変えることができる可動式のものが採用されているが、高さを変えられない固定式のものを使用することもできる。
【００３３】
高さの調節構造としては、図示を省略しているが、例えば壁面に高さ方向に複数の掛止穴を備えた調節具を取付け、一方洗髪台１２１側には、掛止穴に掛止する掛止具を有し、掛止穴に掛止具を引っ掛ける構造を採用している。  
【００３４】
図２を参照する。洗髪台１２１に近接して、固定式施術台１２４が床Ｆに固定して設置されている。固定式施術台１２４は、座部１２５と背もたれ１２６を備えたリクライニングチェア構造で、座部１２５と背もたれ１２６が平らになり、その上で被施術者Ｈ１は、頭部の美容施術、および身体のエステ施術を受けることができるようになっている。
なお、頭部の美容施術、または身体のエステ施術のいずれか一方のみの施術を受けることもできる。
【００３５】
固定式施術台１２４は、固定式施術台１２４全体の高さを変更できる構造でも良いし、高さを変更できない構造でも良い。固定式施術台１２４全体の高さを変更できる構造の場合は、固定式施術台１２４高さを低く変更したら、後記のように覆い被さって使用する可動式施術台の高さも低くできる。
【００３６】
一方、美容施設Ｂの入口の右側には、壁面に沿って四箇所のエステ区域１３がある。エステ区域１３には可動式施術台１３０が設置されている。
【００３７】
図３を参照する。可動式施術台１３０は、長方形のフレーム１３４に載置されたマットレス１３１と、フレーム１３４の四方に配置された支脚１３２を有し、支脚１３２の下端には、ストッパー付きのキャスター１３３を有する。これによって可動式施術台１３０は、床Ｆの上を自由に移動でき、施術箇所では施術中に動かないように停止できる。
【００３８】
マットレス１３１は、固定部１３１ａと可動部１３１ｂから構成されており、可動部１３１ｂは、固定部１３１ａとの連結部から倒したり、起こしたりすることができる。ヘッド部には枕１３１ｃを備えている。
【００３９】
支脚１３２は長さを調整することができる構造ものでもよいし、一定の長さのものでもよい。
長さを調整できる構造としては、例えば、上部支脚と下部支脚を入れ子構造にして、所定長さで固定できる手段を備えたものをあげることができる。
一定の長さの支脚の場合は、可動式施術台１３０を洗髪区域１２に移動して洗髪台１２１に臨ませたときに、マットレス１３１の部分が固定式施術台１２４の上に覆い被さるような長さとなる。
【００４０】
後記するように可動式施術台１３０は、エステ区域１３で、美容施術とは独立してエステ施術のみに使用する場合もあるし、エステ区域１３から洗髪区域１２に移動させて洗髪台１２１と一緒に美容施術を行う場合もある。
【００４１】
後者の場合は、マットレス１３１部分が固定式施術台１２４の上に覆い被さるようにして使用されるが、支脚１３２の長さ、固定式施術台１２４の高さ、洗髪台１２１の高さが調節可能なものの場合は、施術がしやいように支脚１３２の長さ、固定式施術台１２４の高さ、洗髪台１２１の高さが適宜設定される。
【００４２】
美容施設Ｂの突き当たりにはシャワー室１４を有する。シャワー室１４は、エステ施術が終わった後に使用される。  
【００４３】
（作用）
作用を説明する。
【００４４】
＜固定式施術台を使用した場合＞
固定式施術台１２４を使用する場合は、固定式施術台１２４の高さ、洗髪台１２１の高さが調節可能なものの場合は、施術がしやすいように、固定式施術台１２４の高さ、洗髪台１２１の高さが適宜設定される。高さ変更ができないものは、予め美容施術がし易い高さに設定されている。
被施術者は、座部１２５に腰掛け、背もたれ１２６を倒して仰向け状態となり、頭部を洗髪器１２３内に位置させる。頭部の美容施術またはヘッドスパ施術は、美容師Ｈ２が行う。
【００４５】
頭部以外の身体の美容施術、つまりエステ施術は、エステティシャンＨ３が行う。そして、頭部の美容施術と身体のエステ施術を同時に行う。これによって、従来は、美容施術は美容室、身体のエステ施術は、エステサロンという二箇所に移動して行っていたものが、一箇所で、しかも同時に施術を受けることができるので、全身の美容を受ける時間の短縮化が可能である。
【００４６】
固定式施術台１２４の場合は、構造上俯せの姿勢を取るのが困難な場合もある。その場合は、仰向け状態でのエステ施術を受けたあと、エステ区域１３に移動して、可動式施術台１３０に横たわり、俯せのエステ施術を受ける。
この場合は、頭部の美容施術と同時ではなく、エステ区域１３に移動する時間や、俯せのエステ施術を受ける時間が必要となるので、可動式施術台１３０を使用して、頭部の美容施術と同時にエステ施術を受ける場合よりも要する時間は長くなるが、それでも美容室における美容施術とエステサロンにおける身体のエステ施術を個別に受けるよりも、全身の美容に要する時間の短縮化が図れる。
【００４７】
＜可動式施術台を使用した場合＞
可動式施術台１３０を洗髪区域１２に移動させ、マットレス１３１の部分が固定式施術台１２４の上に覆い被さるようにしてヘッド部分を洗髪台１２１に臨ませる。
被施術者Ｈ１がマットレス１３１の上に横たわり、頭部を洗髪器１２３内に位置させる。頭部の美容施術またはヘッドスパ施術は、美容師Ｈ２が行う。頭部以外の身体のエステ施術は、エステティシャンＨ３が行う。そして、頭部の美容施術と身体のエステ施術を同時に行う。
可動式施術台１３０の場合は、仰向け、俯せの何れの姿勢でも楽にエステ施術を受けることができる。
【００４８】
これによって、従来は、頭部は美容室、身体は、エステサロンという二箇所に移動して行っていたものが、一箇所で、しかも同時に施術を受けることができ、全身の美容を受ける時間の短縮化が可能である。
【００４９】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００５０】
Ｂ    美容施設
Ｆ    床
Ｈ１  被施術者
Ｈ２  美容師
Ｈ３  エステティシャン  
１０  待合室
１１  座浴区域
１１０  椅子
１２  洗髪区域
１２１  洗髪台
１２２  シャワーヘッド
１２３  洗髪器
１２４  固定式施術台
１２５  座部
１２６  背もたれ
１３  エステ区域
１３０  可動式施術台  
１３１  マットレス
１３１ａ  固定部
１３１ｂ  可動部
１３１ｃ  枕
１３２  支脚
１３３  キャスター
１４  シャワー室
【図１】
2014097187.tif 000003
【図２】
2014097187.tif 000004
【図３】
2014097187.tif 000005